(57)【要約】      （修正有）【課題】姿勢制御の効率化を促す事で歩行或いは立位における体幹の姿勢の安定性を向上させ、疲労を和らげると共に膝や足首或いは腰と言った部位の障害発症を減少させ且つ、下腿部や大腿部及び臀部及びその周辺筋の強化を図る靴中底体を提供する。【解決手段】踵部中心と第二趾部の中心とを結ぶ直線のＡ線と直角に交差する直線のＤ線と、靴中底体外縁線の少なくとも交点付近を通る直線で、このＤ線と０度から５０度の角度Ｇの範囲内で描かれる（ハ）線から最後端の（ホ）まで、傾斜面を呈しているので、後方部は踵部に近づくほど高さが低く形成され、飛鳥時代から鵜匠が船上で使用し、戦国時代以降に武士が好んで履いたといわれる草鞋の一種である足半（あしなか）に近い状態となり、足関節のアライメントが多くの日本人にとって適正な位置に保持されるようになる。【選択図】図２
0003149069.tif 000002
【実用新案登録請求の範囲】
【請求項１】
形状が左右対称な靴中底体であって、踵部１０の中心と第二趾部３の中心とを結ぶ直線をＡ線、最先端で前記Ａ線と直角に交差するＢ線、小趾球部８の中心から前記Ａ線方向への垂線をＣ線、踵部１０の中心と前記Ａ線と直角に交差するＥ線、このＥ線と前記Ｃ線との略中間で、且つ前記Ａ線と直角に交差するＤ線、最後端で前記Ａ線と直角に交差する線をＦ線とし、
靴中底体１の外縁線と前記Ｄ線との少なくとも交点付近を通る直線で、且つこのＤ線との角度Ｇが０度から５０度の範囲内である（ハ）線、この（ハ）線と平行に、踵部１０の上方に（ニ）線、この（ニ）線と平行に最後端には（ホ）線、前記（ハ）線と平行に、母趾球部７及び小趾球部８の下方に（ロ）線、該（ロ）線と平行な最先端の線を（イ）線、踏みつけ部１１の上縁線を（ヘ）線とし、
踵部後方から指先の前方まで足裏全体をカバーするものか、或いは前記（ヘ）線から先端部が欠落した平面的形状の特徴を有する靴中底体。
【請求項２】
（ハ）線から（ロ）線まで平坦状か、或いは蒲鉾形の隆起状を呈し、以降（ヘ）線を経て（イ）線まで、傾斜面を呈する側面的形状の特徴を有する請求項１記載の靴中底体。
【請求項３】
（ハ）線から（ロ）線まで平坦状か、或いは蒲鉾形の隆起状を呈し、（ロ）線から（ヘ）線までは平坦状か、或いは傾斜面を呈し、（ヘ）線から先方部が欠落した側面的形状の特徴を有する請求項１に記載の靴中底体。
【請求項４】
（ハ）線と（イ）（ロ）（ニ）（ホ）の各線は平行線で、（ヘ）線は否平行線なるも、上記個々の線が平行線否平行線に係らず、呈する斜面及び隆起形や欠落線の形状の向きは、（ハ）線と平行で形成されることを特徴とする請求項１〜請求項３のいずれかに記載の靴中底体。
【考案の詳細な説明】
【技術分野】
【０００１】  本考案は歩行或いは立位における体幹の安定性を向上させ、合せ大腿部及び下腿部や臀部及びその周辺筋の強化を図る通勤やウオーキング或いは勤務など、各種の用途の靴に使用できる左右対称形の靴中底体に関するものである。
【背景技術】
【０００２】  歩行運動が健康増進に大きな影響をもたらす事は各方面で取上げられ、健康日本２１運動のような国家的健康運動の中でも推奨され、大いにその効果が期待されていることは良く知られている。
また一方、用途に適合した靴の選択が重要で、膝や足首或いは腰と言った部位の障害と運動効果に大きな影響を与える事も合せ知られるようになって来ている。
また、用途に合った靴を選択する重要性と共に、最近は特に、靴中底体に関する注目が高まってきている。つまり、靴中底体が、歩行或いは立位における姿勢や疲労、膝や足首或いは腰と言った部位の障害発生と密接な関連があり、これらに大いに影響を与える事が知られるようになったことを受け、出願人は先に関連する靴中底体を考案し出願した。
【考案の開示】
【考案が解決しようとする課題】
【０００３】  本考案は、日本古来の履物である草鞋は、足趾の底屈運動が他の履物と違い自由に行えることに着目し、足関節を、多くの日本人の姿勢及び運動特性に最も適したアライメントに保持し、更に足趾の最適な運動を促す事で運動連鎖により全身の運動を正しく導き、歩行或いは立位における体幹の姿勢の安定性を向上させ、疲労を和らげると共に、膝や足首或いは腰と言った部位の障害発症を減少させ且つ、大腿部及び下腿部や臀部及びその周辺筋の強化をも図れる靴中底体を提供しようと、先の考案がなされたが、より効果を高めるためには、先部方向の形状もまた重要な要素を持つことに着目してなされたのが本考案である。
つまり、従来品の靴中底体は、靴底の形状により足指を上方に反らせた不自然な状態（トウスプリング状態）におかれ、そのままの状態が持続することから、出願人は、かかる状態から開放される靴中底体について、従来品とは別異の理念に基づいて考案したものである。
【課題を解決するための手段】
【０００４】  前記の課題を解決するため、本考案は以下の手段を案出採用した。
（１）形状が左右対称な靴中底体であって、踵部１０の中心と第二趾部３の中心とを結ぶ直線をＡ線、最先端で前記Ａ線と直角に交差するＢ線、小趾球部８の中心から前記Ａ線方向への垂線をＣ線、踵部１０中心と前記Ａ線と直角に交差するＥ線、このＥ線と前記Ｃ線との略中間で、且つ前記Ａ線と直角に交差するＤ線、最後端で前記Ａ線と直角に交差する線をＦ線とし、
靴中底体１の外縁線と前記Ｄ線との少なくとも交点付近を通る直線で、且つこのＤ線との角度Ｇが０度から５０度の範囲内である（ハ）線、この（ハ）線と平行に、踵部１０の上方に（ニ）線、この（ニ）線と平行に最後端には（ホ）線、前記（ハ）線と平行で、母趾球部７及び小趾球部８の下方に（ロ）線、この（ロ）線と平行な最先端の線を（イ）線、踏みつけ部１１の上縁線を（ヘ）線とし、
踵部後方から指先の前方まで足裏全体をカバーするものか、或いは前記（ヘ）線から先端部が欠落した平面的形状の特徴を有するもので課題を解決するための手段とした。【０００５】（２）（ハ）線から（ロ）線まで平坦状か、或いは蒲鉾形の隆起状を呈し、以降（ヘ）線を経て（イ）線まで傾斜面を呈する形状か、又は、（ハ）線から（ロ）線まで平坦状か、或いは蒲鉾形の隆起状を呈し、（ロ）線から（ヘ）線までは平坦状か、或いは傾斜面を呈し、該（ヘ）線から先方部が欠落し特徴を呈した側面的形状の特徴を有している。【０００６】（３）（ハ）線と（イ）（ロ）（ニ）（ホ）の各線は平行線で、（ヘ）線は否平行線なるも、上記個々の線が平行線否平行線に係らず、呈する斜面及び隆起形の形状の向きは、（ハ）線とは平行で形成されることを特徴としている。
【考案の効果】
【０００７】  本考案は、以上のような特徴を有する靴中底体なので以下のような効果を奏する。
（１）踵部中心と第二趾部の中心とを結ぶ直線のＡ線と直角に交差する直線のＤ線と、靴中底体外縁線の少なくとも交点付近を通る直線で、このＤ線と０度から５０度の角度Ｇの範囲内で描かれる（ハ）線から最後端の（ホ）まで、傾斜面を呈しているので、後方部は踵部に近づくほど高さが低く形成され、飛鳥時代から鵜匠が船上で使用し、戦国時代以降に武士が好んで履いたといわれる草鞋の一種である足半（あしなか）に近い状態となり、足関節のアライメントが多くの日本人にとって適正な位置に保持されるようになる。【０００８】  以って足と靴の一体感を増し、外踝と靴の履き口部ラインをはじめとした足と靴の各部との干渉を減少させるばかりでなく。立位では、足関節がより背屈方向に保持され、脛骨の過度の前傾が抑制される結果、膝関節へのせん断力発生に伴う大腿前部の筋群の過度の活動の発生を防止し、結果、膝関節、股関節及び腰部への負担を軽減する。同時に、下肢及び骨盤の骨格を適正な位置に保持させる結果、骨格の抗重力作用を最大化し、筋の適切な活動を促し、特に臀部、大腿後部及び下腿部の筋活力に効果を発揮するので障害の減少に効果を表す。【０００９】  （２）（ハ）線から前方の（ロ）線までは、平坦状か或いは蒲鉾形の隆起状を呈し、（ロ）線から（ヘ）線を経て（イ）線まで傾斜面を呈しているか、
或いは、（ハ）線から（ロ）線までは、平坦状か或いは蒲鉾形の隆起状を呈し、（ロ）線から（ヘ）線までは平坦状か或いは傾斜面を呈していて、該（ヘ）線から先方部の（イ）線まで欠落した側面的形状の特徴を呈し、且つこれら（イ）（ロ）の各線は前記（ハ）線と平行に形成されていて、（ヘ）線は上記（ハ）線と否平行線を呈しているにも係らず、斜面及び隆起形と言った形状や加工の向きは（ハ）線とは平行で形成されている。【００１０】  踏みつけ部１１の母趾球部７と小趾球部８の下方位置の（ロ）線から（ヘ）線にかけては、平坦状か傾斜面かを呈していて、該所から先方は欠落している部位に位置する事から、各指は先に考案し出願した靴中底体よりも、より一層、柔らかな砂地を歩行しているかの如く、前方下方に自由に曲がる状態を得る事ができる。
従って、従来の靴中底体では休眠状態の足指関連筋肉が、活性化されると共に足趾の動きが最適化され、それに連動する脚部の筋活動を適正化するとともに活性化する。その結果、下肢の血流及びリンパの還流がより改善される。
【考案を実施するための最良の形態】
【００１１】  本考案は、足趾があたかも固く平らな地面の上に置かれたようになり、強く地面を握り締めるように導き、結果として地面を後方に蹴る不自然で非効率的な歩行動作を導いてしまう従来品の靴中底体とは別異の理念に基づいて考案したものである。
つまり、靴の中で足指の動きを最適化して、歩行或いは立位における体幹の姿勢の安定性をより向上させ、疲労を和らげると共に膝や足首或いは腰と言った部位の障害発症を減少させ且つ、腎部、大腿部並びに下腿部及びその周辺筋の強化を図る靴中底体を提供するものである。【００１２】  以下、図面を参照しながら考案を実施するための最良の形態に付き説明する。
本考案は左右対称形の靴中底体であって、シリコーンゲル層か熱可塑性の混合樹脂層又は発砲樹脂層の単体か、或いは、シリコーンゲル層と発砲樹脂層、発泡樹脂層と混合樹脂層、シリコーンゲル層と混合樹脂層、シリコーンゲル層と発砲樹脂層と混合樹脂層との複合層から形成されるが、シリコーンゲルか熱可塑性の混合樹脂、或いは発砲樹脂の単体又はこれらの複合層で作られることが望ましく、図１及び図２で説明の平面的と、図３から図６で説明の側面的の特徴がある。【００１３】  平面的特徴は、図１では最も一般的な足裏全体をカバーする実施例を示しており、図２では（イ）線より先端方向の符号２の第一趾部から符号６で示した第五趾部までの足趾部が位置する部位が欠落した実施例を示している。
即ち、本考案の靴中底体１は、異なる平面的特徴を有する形状の実施例と、異なる側面的特徴を有する形状の実施例で目的を達成しようとするものである。【００１４】  踵部１０の中心と第二趾部３の中心とを直線で結びこれをＡ線、最先端部でこのＡ線と直角に交差するＢ線、小趾球８の中心から前記Ａ線への垂線をＣ線、踵部１０の中心と前記Ａ線と直角に交差するＥ線、該Ｅ線と前記Ｃ線との略中間で、且つ前記Ａ線と直角に交差する線をＤ線、最後端で前記Ａ線と直角に交差する線をＦ線としている。
尚、図中符号ＨはＣ線とＥ線間との長さを表し、Ｄ線はこの間の略中間に位置している。【００１５】  靴中底体１の外縁線と前記Ｄ線との少なくとも交点付近を通る直線で、且つこのＤ線との角度Ｇが０度から５０度の範囲内である（ハ）線、この（ハ）線と平行に、踵部１０の上方には（ニ）線、更に、この（ニ）線と平行な最後端の線を（ホ）線としている。【００１６】  母趾球部７及び小趾球部８の下方には前記（ハ）線と平行に（ロ）線、該（ロ）線と平行に最先端には（イ）線、更に、上記母趾球部７と小趾球部８を略ブーメラン形に囲んだ踏みつけ部１１の上方に前記（ハ）線と否平行な上縁線を（ヘ）線としている。
以上説明の（イ）（ロ）（ニ）（ホ）の各線は、全て（ハ）線と平行に描かれるので、後記説明の側面的特徴において、平坦状或いは傾斜面や蒲鉾形の隆起状の形成及び欠落と言った側面的特徴の形成又は加工は、前記（ハ）線と平行に行われる。
この側面的特徴の形成又は加工は、（ハ）線と否平行線の（ヘ）線に向かっても同様に行われる。つまり、（ヘ）線は（ハ）線と否平行線に描かれているが、（ハ）線から（ヘ）線方向に向かっての形成又は加工は（ハ）線と同方向で平行に行われることを意味している。【００１７】  図３から図６まで示した本考案の靴中底体の側面的特徴について以下に説明する。
図３から図６まで示した実施例では、（ハ）線から踵部後方の最後端の（ホ）線まで傾斜面を呈して形成される。【００１８】  図３と図４の実施例では、（ハ）線から母趾球部７及び小趾球部８の下方の（ロ）線にかけては、平坦状か、或いは蒲鉾状の隆起形を呈しており、この間が全体的には靴中底体で最も高く（厚く）形成され、図３及び図４の何れの実施例においても、その最大高さは概ね４ｍｍから１５ｍｍ程度で形成されることが望まれ、（ロ）線から（ヘ）線を経て最先端部の（イ）線間は傾斜面を呈して形成されている。
尚、図中符号２０は基底体で、図示の全ての実施例で採用されているが、該基底体を用いずに靴中底体の本体のみで実施されることもあり、その作用効果に問題は無い。【００１９】  図５と図６の実施例は、（ハ）線から母趾球部７及び小趾球部８の下方の（ロ）線にかけては、平坦状か、或いは蒲鉾状の降起形を呈しており、該（ロ）線から符号１１で示された踏み付け部の上縁線（ヘ）線間は平坦状か、或いは斜面状を呈していて、該（ヘ）線から上方の（イ）線間は、欠落した状態を呈し基底体のみとなっている。
ここでの実施例でも、符号２０の基底体が採用されているが、該体を用いずに靴中底体の本体のみで実施されることもある。
【実施例】
【００２０】  図面に示す実施例に基づき本考案を説明すると、本考案の靴中底体は形状が左右対称の一対から構成され、シリコーンゲル層か熱可塑性の混合樹脂層又は発砲樹脂層の単体か、或いは、シリコーンゲル層と発砲樹脂層、発泡樹脂層と混合樹脂層、シリコーンゲル層と混合樹脂層、シリコーンゲル層と発砲樹脂層と混合樹脂層との複合層から形成され、
符号１は右足用の靴中底体を説明するもので、符号２は第一趾部、符号３は第二趾部、符号４は第三趾部、符号５は第四趾部、符号６は第五趾部で、符号７は母趾球部、８は小趾球部で、９は土踏まず部、踵部は符号１０で示し、符号１１は踏みつけ部である。【００２１】  図１及び図２は、本考案に係る靴中底体の実施例における平面的形状の特徴を示すもので、
図１は、足裏全体をカバーする形状のもので、図２は先端部が欠落した形状を呈するものである。
踵部１０の中心と第二趾部３の中心とを結ぶ直線をＡ線、最先端で前記Ａ線と直角に交差するＢ線、小趾球部８の中心から前記Ａ線への垂線をＣ線、踵部１０の中心と前記Ａ線と直角に交差する線のＥ線、このＥ線と前記Ｃ線との略中間で、且つ前記Ａ線と直角に交差する線のＤ線、最後端で前記Ａ線と直角に交差する線をＦ線としている。【００２２】  靴中底体の外縁線と前記Ｄ線との少なくとも交点付近を通る直線で、且つこのＤ線との角度Ｇが０度から５０度の範囲内である（ハ）線、この（ハ）線と平行に、踵部１０の上方に（ニ）線、この（ニ）線と平行に最後端には（ホ）線、前記（ハ）線と平行に母趾球部７及び小趾球部８の下方に（ロ）線、該（ロ）線と平行な最先端の線を（イ）線とし、更に、上記母趾球部７と小趾球部８を取り囲むような略ブーメラン形の踏みつけ部１１の上縁線を（ヘ）線としている。【００２３】  図３から図６までは、本考案実施例の側面的形状の特徴を断面で示したもので、（ハ）線から最後端の（ホ）線までは斜面を呈して形成されていて、
図３では（ハ）線から（ロ）線までは平坦状の平面を呈していて、（ロ）線から（ヘ）線を経て（イ）線までの間が傾斜面を呈し、図４では（ハ）線から（ロ）線までは蒲鉾状の隆起形を呈していて、（ロ）線から（ヘ）線を経て（イ）線までの間が傾斜面を呈して形成される実施例のケースを説明するものである。【００２４】  図５では、（ハ）線から（ロ）線を経て（ヘ）線までの間が平坦状の実施例のケースを、図６では（ハ）線から（ロ）線までは蒲鉾状の隆起形を呈し、該（ロ）線から（ヘ）線までの間が傾斜面を呈していて、この（ヘ）線から先方の（イ）線にかけては、図５図６の実施例とも欠落した側面的特徴のケースを説明するものである。【００２５】  このように、（ハ）線から（ロ）線にかけては平坦状か或いは蒲鉾状の隆起形を呈しており、この（ハ）線から（ロ）線にかけては何れの実施例の場合も、中底体で一番高い（厚い）部位を形成していて、４ｍｍ程度以上から最大で１５ｍｍ程度の高さを有することが望まれる。
【産業上の利用可能性】
【００２６】  以上説明のように、本考案は平面的に異なる二態の特徴を有し、側面的にも異なる数種の態様の特徴を有しているが、どの実施例においても従来品では得る事ができない作用効果を得ることができる。
即ち、本考案品の使用によって体幹の安定性を向上させ、歩行或いは立位のとき、通勤やウオーキング或いは勤務中など、常時健康増進と大腿部並びに臀部や下腿部及びその周辺筋の強化を図ることができ、そのことで姿勢が正され、膝や足首或いは腰と言った部位の障害発生を減少させる外、特段製造上で問題となる点も無いばかりで無く、
特に、先に出願人が考案出願した後部に大きな特徴を有する靴中底体と本考案とを一体的にして実施すれば、より優れた作用効果を得る事ができることから、数多くの需要が見込まれ、産業上の利用可能性は頗る高い。
【図面の簡単な説明】
【００２７】
【図１】本考案の、足裏全体をカバーする形状を呈する実施例の平面的特徴を説明する図である。
【図２】本考案の、先端部が欠落した形状を呈する実施例の平面的特徴を説明する図である。
【００２８】
【図３】（ハ）線から（ホ）線まで斜面状で、（ハ）線（ロ）線間は平坦状で、（ロ）線から（イ）線間は斜面状に形成された実施例を説明する図である。
【図４】（ハ）線から（ホ）線まで斜面状で、（ハ）線（ロ）線間は蒲鉾状の隆起形で、（ロ）線から（イ）線間は斜面状に形成された実施例の側面的特徴を説明する図である。
【図５】（ハ）線から（ホ）線まで斜面状で、（ハ）線から（ロ）線を経て（ヘ）線まで平坦状で、（ヘ）線から先端部が欠落していている実施例での側面的特徴を説明する図である。
【図６】（ハ）線から（ホ）線まで斜面状で、（ハ）線から（ロ）線間は蒲鉾状の隆起形で、（ロ）線から（ヘ）線まで斜面状に形成され、（ヘ）線から先端部が欠落している実施例での側面的特徴を説明する図である。
【符号の説明】
【００２９】Ａ線  踵部の中心と第二趾部３の中心とを結ぶ直線、
Ｂ線  最先端で前記Ａ線と直角に交差する直線、
Ｃ線  小趾球部の中心からＡ線方向への垂線、
Ｄ線  Ｅ線とＣ線との略中間で、且つＡ線と直角に交差する線、
Ｅ線  踵部の中心とＡ線とが直角に交差する線、
Ｆ線  最後端でＡ線と直角に交差する線、
Ｇ    Ｄ線と（ハ）線との角度。
【００３０】（イ）線  （ハ）線と平行な最先端の線、
（ロ）線  （ハ）線と平行な母趾球部及び小趾球部の下方の線、
（ハ）線  靴中底体の外縁線とＤ線との交点付近を通る直線で、Ｄ線との角度が０度から５０度の範囲内である線、
（ニ）線  （ハ）線と平行な踵部上方の線、
（ホ）線  （ハ）線と平行な最後端の線、
（ヘ）線  踏み込み部の上縁線の線、
【００３１】  １靴中底体  ２第一趾部  ３第二趾部  ４第三趾部  ５第四趾部  ６第四趾部  ７母球部  ８小趾球部  ９土踏まず部  １０踵部  １１踏み込み部  ２０底基体
【図１】
0003149069.tif 000003
【図２】
0003149069.tif 000004
【図３】
0003149069.tif 000005
【図４】
0003149069.tif 000006
【図５】
0003149069.tif 000007
【図６】
0003149069.tif 000008